(57)【要約】【課題】容易に収納ができて広範囲の雨除けが可能な携帯用の雨除け器具を提供する。【解決手段】シート収納体２０にロールスクリーン状に巻き取られた雨除けシート１２を伸展した状態で、複数個上下左右に連結可能とする。すなわちシート収納体２０と雨除けシート１２の端部付近の桟部３０に各々前方掛止部２２と前方孔部２６、後方掛止部３２と後方孔部３６を設け、それらを相互に係合することで、携帯用でありながら雨除け対象物の上面を広範囲に渡って覆ったり、側面を囲んだりすることを可能とした。【選択図】図２
0003188732.tif 000002
【実用新案登録請求の範囲】
【請求項１】
ロール機構に巻き取られた雨除けシートを伸展して雨除け対象物を覆う携帯用雨除け器具であって、
長手方向にスリット状の開口部が形成された長尺円筒形状のシート収納体と、
前記シート収納体から前記開口部を介して引き出され、雨除けの対象物上に伸展される雨除けシートと、
前記雨除けシートの裏側に、前記雨除けシートの引き出し側の端部から所定の距離を残し前記雨除けシートの引き出し方向と直交する方向に添設された桟部と、
前記シート収納体の長手方向にカーテンレール状に設けられた後方ガイド溝と、
前記後方ガイド溝に摺動自在に係合されカーテンレールのランナーと同構造を有する先端がフック形状の複数の後方掛止部と、
他の携帯用雨除け器具のフック形状の掛止部を引っかけるために前記桟部の長手方向に連続して形成された複数の後方孔部と、
前記シート収納体の内部に軸設され前記雨除けシートを巻き取る巻き取り軸と、
前記巻き取り軸を前記雨除けシートの巻き取り方向に付勢する弾性体と、
前記シート収納体の長手方向にカーテンレール状に設けられた前方ガイド溝と、
前記前方ガイド溝に摺動自在に係合されたカーテンレールのランナーと同構造を有する先端がフック形状の複数の前方掛止部と、
他の携帯用雨除け器具のフック形状の掛止部を引っかけるために前記シート収納体の長手方向に連続して形成された複数の前方孔部と、
を備えたことを特徴とする携帯用雨除け器具。
【請求項２】
前記スリット形状の開口部の上下に設けられ、前記雨除けシートに摺接する一対のゴム製水切りブレードを有することを特徴とする請求項１に記載の携帯用雨除け器具。
【請求項３】
前記雨除けシートが、撥水性を有することを特徴とする請求項１または２に記載の携帯用雨除け器具。
【考案の詳細な説明】
【技術分野】
【０００１】
本考案は、携帯用の雨除け器具に関するものである。
【背景技術】
【０００２】
従来、降雨時に台車で荷物を運搬する場合にはトラックや倉庫に備え付けられたビニルシートにより荷物を覆っていたが、使用したビニルシートを収納する手間が煩雑であった。また、降雨時に鞄やランドセル等を持っている場合には、傘をさすだけでは鞄やランドセルが雨に濡れたままになっていた。
このような問題を解決するため、種々の雨除け器具が提案されている。特許文献１では雨除けシートの端側の部分が面ファスナーとなっており、降雨時に服やズボン、鞄等に貼りつけて使用できる雨除けシートが開示されている。また、特許文献２には、底なしの防水性カバーを袋状にした携帯式かばん用レインカバー兼バックが提案されている。
【先行技術文献】
【特許文献】
【０００３】
【特許文献１】特開２０００−２４８４０５号公報
【特許文献２】特開２００４−２０９２０１号広報
【考案の概要】
【考案が解決しようとする課題】
【０００４】
しかし、特許文献１の携帯用雨除けシートでは、雨除けの対象物が面ファスナーを貼り付けることができる素材である必要があり、また広範囲の雨除けに使用することができない。また特許文献２の携帯式かばん用レインカバー兼バックでは、台車に載せた荷物のような大きな物には使用できないという欠点があった。
【０００５】
そこで、本考案は、容易に収納ができて広範囲の雨除けが可能な携帯用の雨除け器具を提供することを目的としている。
【課題を解決するための手段】
【０００６】
上記目的を達するために、第１の本考案に係る携帯用雨除け器具は、雨除けシートがロールスクリーン状に巻き取られ、雨除けシートを伸展した状態で、複数個上下左右に連結可能としたことを主な特徴とする。
【０００７】
すなわち、第１の本考案は、ロール機構に巻き取られた雨除けシートを伸展して雨除け対象物を覆う携帯用雨除け器具であって、
長手方向にスリット状の開口部が形成された長尺円筒形状のシート収納体と、
前記シート収納体から前記開口部を介して引き出され、雨除けの対象物上に伸展される雨除けシートと、
前記雨除けシートの裏側に、前記雨除けシートの引き出し側の端部から所定の距離を残し前記雨除けシートの引き出し方向と直交する方向に添設された桟部と、
前記シート収納体の長手方向にカーテンレール状に設けられた後方ガイド溝と、
前記後方ガイド溝に摺動自在に係合されカーテンレールのランナーと同構造を有する先端がフック形状の複数の後方掛止部と、
他の携帯用雨除け器具のフック形状の掛止部を引っかけるために前記桟部の長手方向に連続して形成された複数の後方孔部と、
前記シート収納体の内部に軸設され前記雨除けシートを巻き取る巻き取り軸と、
前記巻き取り軸を前記雨除けシートの巻き取り方向に付勢する弾性体と、
前記シート収納体の長手方向にカーテンレール状に設けられた前方ガイド溝と、
前記前方ガイド溝に摺動自在に係合されたカーテンレールのランナーと同構造を有する先端がフック形状の複数の前方掛止部と、
他の携帯用雨除け器具のフック形状の掛止部を引っかけるために前記シート収納体の長手方向に連続して形成された複数の前方孔部と、
を備えたことを特徴とする携帯用雨除け器具である。        
【０００８】
第１の本考案に係る雨除け器具は、防水性を有する雨除けシートが巻き取り方向に弾性体により付勢されてロールスクリーン状に収納されているため、伸展と収納が容易に行える。雨除けシートを巻き取り方向に付勢する弾性体にはコイルバネや弦巻バネ等を用いることができる。
そして、シート収納体と桟部に各々先端がフック形状をした前方掛止部と前方孔部、後方掛止部と後方孔部とを有するので、複数の本考案に係る携帯用雨除け器具を相互に組み合わせて使用することができる。例えば、台車に乗せた荷物に使用する場合には、シート収納体の前方掛止部を台車の手押し部分のフレームに引っ掛けた後に雨除けシートを荷物上に伸展し、雨除けシートの端部付近にある桟部の後方掛止部を台車の荷台の前端部に引っかけて固定し、荷物が雨に濡れるのを防ぐことができる。
前方及び後方の掛止部は、シート収納体の長手方向にカーテンレール状に設けられたガイド溝にカーテンレールのランナーと同様に係合されているので、ガイド溝の長手方向に摺動自在である。したがって、荷物や鞄、台車あるいは他の本考案に係る雨除け器具の任意の箇所に引っかけることができる。
【０００９】
さらに、吹き降りの雨の場合は、荷物の側面にも本考案の雨除け器具を使用することができる。すなわち、荷物の上部に伸展された本考案の雨除け器具のシート収納体の前方孔部に、他の本考案に係る携帯用雨除け器具のシート収納体の前方掛止部を引っかけて、荷物の側面に吊るすことができる。そして、雨除けシートを地面に垂直に、つまり荷物の側面に沿って伸展させた後、桟部にある後方掛止部を荷台の前端部に引っかけると荷物の側面を覆うことができる。
【００１０】
また、荷物が長い場合には、荷物の上部に伸展した本考案に係る携帯用雨除け器具の桟部にある後方孔部に、もう一つの本考案に係る雨除け器具のシート収納体にある前方掛止部を引っかけて連結し、雨除けシートを伸展させることができる。同様に本発明に係る雨除け器具は、荷物の横方向にも連結することができる。
【００１１】
このように本考案に係る携帯用雨除け器具は、縦方向、横方向ともに複数連結して使用することができる。なお、本考案の携帯用雨除け器具の連結は瓦のように順次下側に雨除けシートの一部が重なるようにして行われる。また、鞄に使用する場合は、本考案に係る携帯用雨除け器具の前方掛止部を提手に引っかけて雨除けシートで鞄を包み込むように伸展し、後方掛止部を再度鞄の提手に引っかけることにより、鞄が雨に濡れるのを防止することができる。そしてランドセルに使用する場合は、本考案に係る携帯用雨除け器具の前方掛止部をランドセルの背カンに引っかけて雨除けシートでランドセルを覆うように伸展し、後方掛止部をランドセルのダルマカンに引っかけることにより、ランドセルが雨に濡れるのを防止することができる。
【００１２】
また、第２の本考案は、第１の本考案に係る携帯用雨除け器具のスリット状の開口部の上下に雨除けシートに摺接する一対のゴム製水切りブレードを有することを特徴とする携帯用雨除け器具である。
【００１３】
このゴム製水切りブレードは、自動車のワイパーに使用されるブレードと同様の機能を有する。すなわち、この構成により雨除けシートの巻き取り時に上下のゴム製水切りブレードがシートに付着した雨を除去する機能が付加される。従来雨除けに使用したビニルシートの収納時にはタオル等でビニルシートに付着した雨を拭き取っていたが、この作業が軽減される。
【００１４】
さらに第３の本考案は、第１または第２の本考案に係る携帯用雨除け器具の雨除けシートが、撥水性を有することを特徴とする携帯用雨除け器具である。
【００１５】
雨除けシートが撥水性を有することで、雨除けシートへの雨の付着が少なく、収納時における雨除けシートに付着した雨の除去が軽減されるとともに、より清潔な状態で雨除けシートをトラックや倉庫に保管することができる。なお撥水性を持つ雨除けシートは一般的な防水シートにフッ素コーティングを施すことで実現できる。
【考案の効果】
【００１６】
本考案に係る携帯用雨除け器具は、容易に伸展と収納ができ、相互に連結することで広範囲の雨除けが可能である。さらに、第２の本考案に係る雨除け器具では、ゴム製水切りブレードにより収納時の雨除けシートに付着した雨の拭き取り作業が軽減される。また、第３の本考案に係る雨除け器具では、雨除けシートの撥水性により収納時の雨除けシートに付着した雨の拭き取り作業が軽減される上に、より確実に付着した雨の除去が行われるため、清潔な状態での保管が可能となる。
【図面の簡単な説明】
【００１７】
【図１】図１は荷物運搬用の台車に携帯用雨除け器具を使用した状態を示す斜視図である。（実施例１）
【図２】図２は複数の携帯用雨除け器具を連結した状態を示す斜視図である。（実施例２）
【図３】図３は携帯用雨除け器具を横に連結する場合の連結状態を示す立面図である。
【図４】図４は図３におけるＡ−Ａ線断面図である。
【図５】図５は携帯用雨除け器具を縦に連結する場合の連結状態を示す側面図である。
【図６】図６は携帯用雨除け器具のシート収納体の開口部を拡大した断面図である。
【考案を実施するための形態】
【００１８】
以下本考案の実施の形態を図面を参照して説明する。
【実施例１】
【００１９】
図１は、本考案の１実施例を示す斜視図であって、一般的な荷物の運搬用の台車に本考案を実施した状態を示している。９０は台車、１０は携帯用雨除け器具、２０はシート収納体、１２は雨除けシート、２２は前方掛止部、３０は桟部、３２は後方掛止部である。
【００２０】
携帯用雨除け器具１０は前方掛止部２２により台車９０の手押しフレームに引っかけられており、雨除けシート１２が台車９０上に伸展され後方掛止部３２が台車９０の前端部に引っかけられている。図では台車上の荷物が省略されているが、このようにして荷物が雨に濡れないようにすることができる。なお、前方掛止部２２、後方掛止部３２はともに先端にフックを有しており、このフックは前方掛止部本体に枢着されているため自在に向きを変えることができる。
【実施例２】
【００２１】
次に本考案の第２の実施例について図２〜図５を参照して説明する。図２は本考案に係る携帯用雨除け器具が４つ相互に連結された状態を示している。図５に示すように縦方向には、前方の携帯用雨除け器具の後方孔部３６に後方の携帯用雨除け器具の前方掛止部２２が係合されている。そして連結部においては、前方の雨除けシート１２が後方の雨除けシート１２の上に重複して伸展され、確実に雨が荷物にかからないようになっている。桟部３０は雨除けシート１２の引き出し側の端部から所定の距離を残して設けられるが、この所定の距離とは、本考案に係る携帯用雨除け器具を図５のように連結した場合に、上側の雨除けシート１２が下側の雨除けシート１２に十分重なる距離のことである。
また、横方向には図４に示すように左側の携帯用雨除け器具の前方孔部２６に右側の携帯用雨除け器具の前方掛止部２２が係合されている。図４は、水平方向に連結した状態を示しているが、図２はこの状態から右側の携帯用雨除け器具を垂直に垂らした状態を示している。このように垂直に垂らせば荷物の側部を雨から守ることができ、また、垂直に垂らさずに水平に連結すれば、広い範囲で荷物を雨から守ることができる。    
【００２２】
図６はシート収容体２０の開口部付近の断面を拡大した図である。開口部の上下に設けられたゴム製水切りブレード４０が、巻き取り収納される雨除けシート１２に摺接することで、雨除けシート１２の表裏に付着した雨水を拭き取ることができる。
【００２３】
また図示はしていないが、雨除けシート１２の表側にフッ素コーティングを施せば、防水に加え優れた撥水性を発揮し、収納時の雨水の拭き取り作業の軽減に加えて、衛生的に保管することができる。
【産業上の利用可能性】
【００２４】
雨除けシートを遮光性シートに変更することによって、住宅や店舗のオーニングとして使用することもできる。
【符号の説明】
【００２５】
１０  携帯用雨除け器具
１２  雨除けシート
２０  シート収納体
２２  前方掛止部
２４  前方ガイド溝  
２６  前方孔部
２８  巻き取り軸
３０  桟部
３２  後方掛止部
３４  後方ガイド溝
３６  後方孔部
４０  ゴム製水切りブレード
９０  台車  
【図１】
0003188732.tif 000003
【図２】
0003188732.tif 000004
【図３】
0003188732.tif 000005
【図４】
0003188732.tif 000006
【図５】
0003188732.tif 000007
【図６】
0003188732.tif 000008